(57)【特許請求の範囲】
【請求項１】
モータと、
このモータの回転により運針される指針と、
前記モータの回転が伝達されて回転される回転車と、
この回転車に同軸で重なった状態で回転可能に設けられ、且つ外周部の一部に送り歯が設けられたツメ車と、
このツメ車の前記送り歯に噛み合う複数の歯部を有し、前記ツメ車の１回転ごとに所定角度ずつ回転される送り車と、
この送り車の回転により回転されて表示が切り替わる表示車と、
前記モータの回転により回転され、前記回転車よりも高速で回転する高速回転車と、
を備え、
前記ツメ車には係止部が形成され、前記回転車には、前記係止部が移動可能に係止される係合部が円周方向に沿って形成され、前記係止部が前記係合部の回転移動方向と反対側に位置する一端部に係止されているときに、前記回転車と前記ツメ車とが一体的に回転し、
前記ツメ車には、前記表示車を送るときのみ、前記高速回転車に噛み合う部分歯が形成され、前記ツメ車は、前記高速回転車が前記部分歯に噛み合うと、前記高速回転車の回転に伴って前記ツメ車の前記係止部が前記回転車の前記係合部に沿って前記回転方向に移動することにより、高速で回転され、このツメ車の高速回転が前記送り車を介して前記表示車に伝達されて、前記表示車を高速で回転させることを特徴とする指針時計。
【請求項２】
請求項１に記載の指針時計において、前記係止部は、前記回転車に向けて突出した状態で前記ツメ車に形成されたピン状の突起であり、前記係合部は、前記回転車に形成されて前記ピン状の突起が移動可能に挿入する円弧状の長孔であることを特徴とする指針時計。
【請求項３】
請求項１または請求項２に記載の指針時計において、前記ツメ車の前記部分歯は、前記ツメ車の前記係止部が前記回転車の前記係合部に沿って移動している間、前記高速回転車が噛み合う長さで、前記ツメ車の外周面に部分的に形成されていることを特徴とする指針時計。
【請求項４】
モータと、
このモータの回転により運針される指針と、
前記モータの回転が伝達されて回転される回転車と、
この回転車に同軸で重なった状態で回転可能に設けられ、且つ外周部の一部に送り歯が設けられたツメ車と、
このツメ車の前記送り歯に噛み合う複数の歯部を有し、前記ツメ車の１回転ごとに所定角度ずつ回転される送り車と、
この送り車の回転により回転されて表示が切り替わる表示車と、
前記モータの回転により回転され、前記回転車よりも高速で回転する高速回転車と、
を備え、
前記回転車には係止部が形成され、前記ツメ車には、前記係止部が移動可能に係止される係合部が円周方向に沿って形成され、前記係止部が前記係合部の回転移動方向側に位置する一端部に係止されているときに、前記回転車と前記ツメ車とが一体的に回転し、
前記ツメ車には、前記表示車を送るときのみ、前記高速回転車に噛み合う部分歯が形成され、前記ツメ車は、前記高速回転車が前記部分歯に噛み合うと、前記高速回転車の回転に伴って前記回転車の前記係止部が前記ツメ車の前記係合部に沿って前記回転方向と反対方向に相対的に移動することにより、高速で回転され、このツメ車の高速回転が前記送り車を介して前記表示車に伝達されて、前記表示車を高速で回転させることを特徴とする指針時計。
【請求項５】
請求項４に記載の指針時計において、前記係止部は、前記ツメ車に向けて突出した状態で前記回転車に形成されたピン状の突起であり、前記係合部は、前記ツメ車に形成されて前記ピン状の突起が移動可能に挿入する円弧状の長孔であることを特徴とする指針時計。
【請求項６】
請求項４または請求項５に記載の指針時計において、前記ツメ車の前記部分歯は、前記回転車の前記係止部が前記ツメ車の前記係合部に沿って移動している間、前記高速回転車が噛み合う長さで、前記ツメ車の外周面に部分的に形成されていることを特徴とする指針時計。
【請求項７】
請求項１〜請求項６のいずれかに記載の指針時計において、前記ツメ車の前記部分歯は、前記ツメ車に前記送り車が噛み合って回転する間、前記高速回転車が噛み合うことを特徴とする指針時計。
【請求項８】
請求項１〜請求項７のいずれかに記載の指針時計において、前記回転車は前記指針を運針させる指針車の回転によって回転し、前記高速回転車は前記指針車を回転させる中間車の回転によって前記回転車よりも高速で回転することを特徴とする指針時計。
【発明の詳細な説明】
【技術分野】
【０００１】
この発明は、腕時計、置き時計、掛け時計などの指針時計に関する。
【背景技術】
【０００２】
例えば、指針式の腕時計においては、特許文献１に記載されているように、ステップモータの回転を中間車によって指針車に伝達し、この指針車の回転を他の中間車によってゼネバ車である伝達車に伝達し、この伝達車の回転に伴ってツメ車を回転させ、このツメ車によって送り車を間欠的に回転させ、この送り車によって表示車を回転させることにより、表示車の日付や曜日などの表示を切り替えるように構成されたものが知られている。
【先行技術文献】
【特許文献】
【０００３】
【特許文献１】特開２００９−１９８４３７号公報
【発明の概要】
【発明が解決しようとする課題】
【０００４】
しかしながら、このような指針式の腕時計では、ツメ車が伝達車によって２４時間で１回転し、このツメ車が１回転するごとに送り車を所定角度ずつ回転させ、この送り車の所定角度回転によって表示車を所定角度回転させて、日付や曜日などの表示を切り替えように構成されているため、表示車が回転を開始してから表示の切り替わりが完了するまでに要する時間が、３時間〜４時間程度必要であり、その間は表示が中途半端にずれた状態で表示されているという問題がある。
【０００５】
この発明が解決しようとする課題は、指針が通常運針している状態で、日付や曜日などの表示を速やかに切り替えることができる指針時計を提供することである。
【課題を解決するための手段】
【０００６】
この発明は、モータと、このモータの回転により運針される指針と、前記モータの回転が伝達されて回転される回転車と、この回転車に同軸で重なった状態で回転可能に設けられ、且つ外周部の一部に送り歯が設けられたツメ車と、このツメ車の前記送り歯に噛み合う複数の歯部を有し、前記ツメ車の１回転ごとに所定角度ずつ回転される送り車と、この送り車の回転により回転されて表示が切り替わる表示車と、前記モータの回転により回転され、前記回転車よりも高速で回転する高速回転車と、を備え、
前記ツメ車には係止部が形成され、前記回転車には、前記係止部が移動可能に係止される係合部が円周方向に沿って形成され、前記係止部が前記係合部の回転移動方向と反対側に位置する一端部に係止されているときに、前記回転車と前記ツメ車とが一体的に回転し、
前記ツメ車には、前記表示車を送るときのみ、前記高速回転車に噛み合う部分歯が形成され、前記ツメ車は、前記高速回転車が前記部分歯に噛み合うと、前記高速回転車の回転に伴って前記ツメ車の前記係止部が前記回転車の前記係合部に沿って前記回転方向に移動することにより、高速で回転され、このツメ車の高速回転が前記送り車を介して前記表示車に伝達されて前記表示車を高速で回転させることを特徴とする指針時計である。
【発明の効果】
【０００７】
この発明によれば、モータの回転によって指針が通常運針している状態で、回転車の回転によってツメ車を回転させて、このツメ車の送り歯を送り車に接近させることができると共に、ツメ車の部分歯を高速回転車に接近させることができ、この状態で表示車の表示が切り替わる際に、ツメ車の部分歯を高速回転車に噛み合わせることができる。このため、高速回転車の高速回転によってツメ車の係止部を伝達車の係合部に沿って移動させながら、ツメ車を高速で回転させることができ、これにより送り車を高速で回転させて表示車の表示を速やかに切り替えることができる。このため、指針が通常運針している状態で、日付や曜日などの表示を速やかに切り替えることができる。
【図面の簡単な説明】
【０００８】
【図１】この発明を指針式の腕時計に適用した一実施形態における第１、第２の各駆動系を示した要部の拡大断面図である。
【図２】図１に示された腕時計における第３駆動系および表示切替装置を示した要部の拡大断面図である。
【図３】図２に示された腕時計における第３駆動系および表示切替装置を示した拡大平面図である。
【図４】図３に示された表示切替装置の高速駆動系を示した要部の拡大断面図である。
【図５】図３に示された表示切替装置の伝達車を示し、（ａ）はその伝達車の拡大平面図、（ｂ）はそのＡ−Ａ矢視における拡大断面図である。
【図６】図３に示された表示切替装置のツメ車を示し、（ａ）はそのツメ車の拡大平面図、（ｂ）はそのツメ車の拡大側面図、（ｃ）はそのツメ車の拡大裏面図である。
【図７】図３に示された表示切替装置の送り車を示し、（ａ）はその送り車の拡大平面図、（ｂ）はその送り車の拡大側面図、（ｃ）はその送り車の拡大裏面図である。
【図８】図３に示された表示切替装置の通常運針において、ツメ車の送り歯が送り車に向けて移動している状態を示し、（ａ）はその要部を示した拡大裏面図、（ｂ）はその要部を示した拡大平面図である。
【図９】図８に示された表示切替装置の通常運針において、ツメ車の送り歯が送り車の薄い歯部に接近した状態を示し、（ａ）はその要部を示した拡大裏面図、（ｂ）はその要部を示した拡大平面図である。
【図１０】図９に示された表示切替装置の通常運針において、ツメ車の送り歯が送り車の厚い歯部に噛み合い始めて、ツメ車の部分歯が高速回転車に噛み合って高速で回転を開始する状態を示し、（ａ）はその要部を示した拡大裏面図、（ｂ）はその要部を示した拡大平面図である。
【図１１】図１０に示された表示切替装置の通常運針において、高速回転車によってツメ車が送り車を高速で回転させ、これに伴って表示車が高速で回転して日付表示が切り替わる途中の状態を示し、（ａ）はその要部を示した拡大裏面図、（ｂ）はその要部を示した拡大平面図である。
【図１２】図１１に示された表示切替装置の通常運針において、ツメ車が高速回転して送り歯の第１、第２の各溝部から送り車の厚い歯部が離脱する状態を示し、（ａ）はその要部を示した拡大裏面図、（ｂ）はその要部を示した拡大平面図である。
【図１３】図１２に示された表示切替装置の通常運針において、ツメ車に対する送り車の噛み合いが解除されてツメ車の部分歯が高速回転車から離れ、表示車の高速回転が終了した状態を示し、（ａ）はその要部を示した拡大裏面図、（ｂ）はその要部を示した拡大平面図である。
【発明を実施するための形態】
【０００９】
以下、図１〜図１３を参照して、この発明を指針式の腕時計に適用した一実施形態について説明する。
この腕時計は、図１および図２に示すように、秒針１を駆動する第１駆動系５と、分針２を駆動する第２駆動系６と、時針３および表示車４を駆動する第３駆動系７とを備えている。
【００１０】
第１駆動系５は、図１に示すように、第１ステップモータ８と、この第１ステップモータ８によって回転する五番車９と、この五番車９によって回転する四番車である秒針車１０とを備え、これらが地板１２と輪列受け１３との間に配置されるように構成されている。
【００１１】
この場合、第１ステップモータ８は、図１に示すように、ステータ８ａと、このステータ８ａに設けられたコイル部（図示せず）と、ステータ８ａの間に配置されたロータ８ｂとを備え、コイル部によってステータ８ａに発生する磁界により、ロータ８ｂがステップ回転するように構成されている。五番車９は、第１ステップモータ８におけるロータ８ｂのロータカナ８ｃに噛み合って回転するように構成されている。
【００１２】
四番車である秒針車１０は、図１に示すように、五番車９のカナ９ａに噛み合って回転し、秒針１を運針させるように構成されている。この秒針車１０は、秒針軸１０ａを備えている。この秒針軸１０ａは、輪列受け１３上に設けられた中受け１１に回転自在に取り付けられ、この状態で地板１２の上方に突出し、この突出した上端部に秒針１が取り付けられている。
【００１３】
また、第２駆動系６は、図１に示すように、第２ステップモータ１４と、この第２ステップモータ１４によって回転する中間車１５と、この中間車１５のカナ１５ａに噛み合って回転する三番車１６と、この三番車１６のカナ１６ａによって回転する二番車である分針車１７とを備え、これらが地板１２と輪列受け１３との間に配置されるように構成されている。
【００１４】
この場合、第２ステップモータ１４は、第１駆動系５の第１ステップモータ８と同様、ステータ１４ａと、このステータ１４ａに設けられたコイル部（図示せず）と、ステータ１４ａの間に配置されたロータ１４ｂとを備え、コイル部によってステータ１４ａに発生する磁界により、ロータ１４ｂがステップ回転するように構成されている。
【００１５】
中間車１５は、図１に示すように、地板１２と輪列受け１３との間に回転自在に配置され、第２ステップモータ１４におけるロータ１４ｂのロータカナ１４ｃに噛み合って回転するように構成されている。三番車１６は、地板１２と中受け１１との間に回転自在に配置され、この状態で中間車１５のカナ１５ａに噛み合って回転するように構成されている。
【００１６】
二番車である分針車１７は、図１に示すように、三番車１６のカナ１６ａに噛み合って回転し、分針２を運針させるように構成されている。この分針車１７は、筒状の分針軸１７ａを備えている。この分針軸１７ａは、その内部に秒針軸１０ａが回転可能に挿入されている。また、この分針軸１７ａは、秒針軸１０ａと共に地板１２の上方に突出し、この突出した上端部に分針２が取り付けられている。
【００１７】
一方、第３駆動系７は、図２〜図４に示すように、第３ステップモータ１８と、この第３ステップモータ１８の回転が順次伝達される第１〜第３の各中間車２０〜２２と、この第３中間車２２によって回転する筒車である時針車２３と、この時針車２３の回転が順次伝達される第４、第５の各中間車２４、２５と、第３中間車２２によって高速回転する高速回転車２６と、第５中間車２５および高速回転車２６によって動作する表示切替装置２７とを備えている。
【００１８】
この場合、第３駆動系７の第３ステップモータ１８および第１〜第３の各中間車２０〜２２は、第１、第２の各駆動系５、６と同様、地板１２と輪列受け１３との間に配置されている。また、この第３駆動系７の時針車２３、第４、第５の各中間車２４、高速回転車２６、および表示切替装置２７は、図２および図４に示すように、地板１２と押え板２８との間に配置されている。
【００１９】
第３ステップモータ１８は、図２および図３に示すように、ステータ１８ａと、このステータ１８ａに設けられたコイル部１８ｂと、ステータ１８ａの間に配置されたロータ１８ｃとを備え、コイル部１８ｂによってステータ１８ａに発生する磁界により、ロータ１８ｃがステップ回転するように構成されている。
【００２０】
第１中間車２０は、図２および図３に示すように、第３ステップモータ１８におけるロータ１８ｃのロータカナ１８ｄに噛み合って回転するように構成されている。第２中間車２１は第１中間車２０のカナ２０ａに噛み合って回転するように構成されている。第３中間車２２は第２中間車２１のカナ２１ａに噛み合って回転するように構成されている。筒車である時針車２３は、図２および図３に示すように、第３中間車２２に噛み合って２４時間で１回転し、時針３を運針させるように構成されている。
【００２１】
この時針車２３は、図１、図２および図４に示すように、筒状の時針軸２３ａを備えている。この時針車２３は、その時針軸２３ａの内部に分針軸１７ａが回転可能に挿入された状態で、地板１２上に配置されて押え板２８によって回転可能に押えられた構成になっている。この時針軸２３ａの上端部には、時針３が取り付けられている。
【００２２】
また、第４中間車２４は、図２および図３に示すように、時針車２３に噛み合って回転するように構成されている。第５中間車２５は、第４中間車２４のカナ２４ａに噛み合って回転するように構成されている。高速回転車２６は、図３および図４に示すように、第３中間車２２に噛み合って第５中間車２５よりも高速、つまり２４時間で数回転する速い速度で回転するように構成されている。
【００２３】
ところで、表示切替装置２７は、図２〜図４に示すように、第５中間車２５によって回転する伝達車３０と、この伝達車３０および高速回転車２６によって回転するツメ車３１と、このツメ車３１によって間欠的に回転する送り車３２と、この送り車３２によって回転する表示車４とを備え、これらが地板１２と押え板２８との間に配置されるように構成されている。
【００２４】
伝達車３０は、図２および図３に示すように、第５中間車２５に噛み合って２４時間で１回転するように構成されている。ツメ車３１は、図２〜図４に示すように、伝達車３０が同軸で重なった状態で回転可能に取り付けられるように構成されている。すなわち、このツメ車３１は、図６（ａ）〜図６（ｃ）に示すように、第１〜第３の円板部３３〜３５が重なり合った状態で回転軸３６と一体に形成され、この回転軸３６に伝達車３０が回転自在に取り付けられるように構成されている。
【００２５】
このツメ車３１の回転軸３６は、図２および図３に示すように、地板１２と押え板２８とに回転自在に取り付けられている。このツメ車３１の下面、つまり第３円板部３５の下面には、図２〜図６に示すように、ピン状の伝達突起３７が下側に突出して設けられている。この場合、伝達車３０には、図５（ａ）および図５（ｂ）に示すように、ピン状の伝達突起３７が移動可能に挿入する円弧状の長孔３８が表裏に貫通して設けられている。
【００２６】
この伝達車３０の長孔３８は、図５（ａ）および図５（ｂ）に示すように伝達車３０の回転中心であるツメ車３１の回転軸３６を中心とする円弧に沿って設けられている。これにより、ツメ車３１は、図３および図８に示すように、その伝達突起３７が伝達車３０の長孔３８の長手方向に位置する両端部３８ａ、３８ｂのうち、伝達車３０の回転方向と反対側に位置する一端部３８ａに当接し、この状態で伝達車３０の回転に伴って回転軸３６を中心に回転するように構成されている。
【００２７】
また、このツメ車３１における第１円板部３３の外周面には、図６（ａ）に示すように、２枚の送り歯４０、４１が外周方向に突出して設けられていると共に、この２枚の送り歯４０、４１間に第１溝部４２が設けられている。第２円板部３４は、図６（ａ）〜図６（ｃ）に示すように、その外周が第１円板部３３の２枚の送り歯４０、４１の各歯先円とほぼ同じ径で形成された構成になっている。この第２円板部３４の外周部には、第２溝部４３が第１円板部３３の第１溝部４２に対応して設けられている。
【００２８】
また、このツメ車３１の第３円板部３５は、図６（ｃ）に示すように、その外径が伝達車３０とほぼ同じ大きさに形成されており、この第３円板部３５の外周部には、部分歯４４が部分的に形成されている。この第３円板部３５の部分歯４４は、図３および図６（ｃ）に示すように、高速回転車２６が噛み合ってツメ車３１を高速で回転させるように構成されている。
【００２９】
すなわち、この第３円板部３５の部分歯４４は、図３および図６（ｃ）に示すように、ツメ車３１の２枚の送り歯４０、４１に送り車３２が噛み合って回転する間だけ、高速回転車２６に噛み合うように構成されている。この場合、第３円板部３５の部分歯４４は、図６（ａ）〜図６（ｃ）に示すように、第１円板部３３の２枚の送り歯４０、４１および第２円板部３４の第２溝部４３から少し離れた箇所に、伝達車３０の長孔３８とほぼ同じ長さで形成されている。
【００３０】
このため、第３円板部３５の部分歯４４は、図３および図６（ｃ）に示すように、ツメ車３１の伝達突起部３７が伝達車３０の長孔３８内を移動している間だけ、高速回転車２６が噛み合うように構成されている。これにより、ツメ車３１は、２枚の送り歯４０、４１に送り車３２が噛み合うときに、第３円板部３５の部分歯４４が高速回転車２６に噛み合い、この高速回転車２６によって高速で回転するように構成されている。
【００３１】
一方、送り車３２は、図２に示すように、ツメ車３１の外周面の近傍に配置された状態で、ツメ車３１が２４時間で１回転する際に、ツメ車３１の２枚の送り歯４０、４１によって間欠的に所定角度だけ回転して、表示車４を回転させるように構成されている。この送り車３２の中心部には、図７（ａ）〜図７（ｃ）に示すように、回転軸４５が上下に突出して設けられている。また、この送り車３２の外周には、ツメ車３１の２枚の送り歯４０、４１に噛み合うと共に、表示車４の歯部４ａに噛み合うための複数の歯部４６ａ、４６ｂが設けられている。
【００３２】
この複数の歯部４６ａ、４６ｂは、図７（ａ）〜図７（ｃ）に示すように、全部で６枚であり、１枚おきに歯幅の厚い歯部４６ａと薄い歯部４６ｂとが交互に形成された構成になっている。この場合、歯幅の厚い３枚の歯部４６ａは、ツメ車３１の第１円板部３３と第２円板部３４との両方の厚みとほぼ同じ厚みで形成されている。歯幅の薄い３枚の歯部４６ｂは、ツメ車３１の第１円板部３３の厚みとほぼ同じか、それよりも少し薄い厚みで形成されている。
【００３３】
また、歯幅の厚い３枚の歯部４６ａは、ツメ車３１の第１、第２の各溝部４２、４３に噛み合い、この噛み合いが解除された際に、第２円板部３４の外周面に接触した状態で、その外周面に沿って相対的に移動するように構成されている。また、歯幅の薄い３枚の歯部４６ｂは、ツメ車３１の第１、第２の各溝部４２、４３に噛み合うことがなく、ツメ車３１の２枚の送り歯４０、４１のいずれか一方が接離可能に当接するように構成されている。
【００３４】
この場合、歯幅の薄い歯部４６ｂは、図３および図８に示すように、歯幅の厚い３枚の歯部４６ａのうち、２枚の厚い歯部４６ａが、第２円板部３４の外周面に接触した状態で、その外周面に沿って相対的に移動する状態のときに、その２枚の厚い歯部４６ａ間に位置する１枚の薄い歯部４６ｂが、ツメ車３１の第１円板部３３の外周面に接近して、第２円板部３４の上面、つまり第１円板部３３に設けられた２枚の送り歯４０、４１の移動軌跡上に位置し、この移動軌跡上を相対的に移動するように構成されている。
【００３５】
また、この歯幅の薄い歯部４６ｂは、図１０（ａ）および図１０（ｂ）に示すように、１枚の歯幅の厚い歯部４６ａがツメ車３１の第１、第２の各溝部４２、４３に噛み合ってツメ車３１が回転している状態のときに、第１円板部３３に設けられた２枚の送り歯４０、４１の移動軌跡上から離脱して、第２円板部３４の外周側に位置するように構成されている。
【００３６】
これにより、ツメ車３１と送り車３２とは、図８（ａ）および図８（ｂ）に示すように、歯幅の厚い歯部４６ａがツメ車３１の第１、第２の各溝部４２、４３から離脱した状態で、ツメ車３１が回転している際に、送り車３２の歯幅の厚い歯部４６ａのうち、２枚の厚い歯部４６ａが、ツメ車３１の第２円板部３４の外周面に接触した状態で、その外周面に沿って相対的に移動することにより、送り車３２の回転を規制して停止させるように構成されている。
【００３７】
また、ツメ車３１と送り車３２とは、図１０（ａ）および図１０（ｂ）に示すように、歯幅の厚い歯部４６ａのうち、１枚の厚い歯部４６ａがツメ車３１の第１、第２の各溝部４２、４３に噛み合った状態で、ツメ車３１が回転する際に、第１、第２の各溝部４２、４３に噛み合っていない残りの厚い歯部４６ａが、ツメ車３１の第２円板部３４の外周面から離れることにより、送り車３２の回転規制を解除するように構成されている。
【００３８】
また、ツメ車３１と送り車３２とは、図８および図９に示すように、送り車３２の歯幅の厚い歯部４６ａのうち、２枚の厚い歯部４６ａがツメ車３１の第２円板部３４の外周面に接触して送り車３２の回転を規制している状態で、ツメ車３１が回転する際に、ツメ車３１の２枚の送り歯４０、４１のうち、回転方向に位置する一方の送り歯４０がその回転方向に位置する送り車３２の薄い歯部４６ｂに当接すると、送り車３２の厚い歯部４６ａがツメ車３１の第１、第２の各溝部４２、４３内に向けて移動することにより、送り車３２の回転規制が解除されて、送り車３２の回転を開始させるように構成されている。
【００３９】
また、このツメ車３１と送り車３２とは、図１０および図１１に示すように、ツメ車３１の回転に伴って、ツメ車３１の一方の送り歯４０が、これに当接した送り車３２の薄い歯部４６ｂとこれに隣接する厚い歯部４６ａとの間に挿入すると、その厚い歯部４６ａがツメ車３１の第１、第２の各溝部４２、４３に噛み合い、この状態でツメ車３１の回転に伴って送り車３２が回転するように構成されている。
【００４０】
また、このツメ車３１と送り車３２とは、図１２（ａ）および図１２（ｂ）に示すように、送り車３２の１枚の厚い歯部４６ａがツメ車３１の第１、第２の各溝部４２、４３から離脱する際に、ツメ車３１における回転方向と反対側に位置する他方の送り歯４１が、ツメ車３１の第１、第２の各溝部４２、４３内に位置する送り車３２の厚い歯部４６ａとこれに隣接する回転方向と反対側の薄い歯部４６ｂとの間に挿入し、この薄い歯部４６ｂがツメ車３１の第１円板部３３の外周面に接近しながら、第２円板部３４の上面、つまり第１円板部３３の２枚の送り歯４０、４１の移動軌跡上に位置し、この移動軌跡上を相対的に移動するように構成されている。
【００４１】
さらに、このツメ車３１と送り車３２とは、図１３（ａ）および図１３（ｂ）に示すように、送り車３２の１枚の厚い歯部４６ａがツメ車３１の第１、第２の各溝部４２、４３から離脱し、この離脱した厚い歯部４６ａに隣接する回転方向と反対側に位置する薄い歯部４６ｂが、ツメ車３１の第２円板部３４の上面を移動しながら第１円板部３３の外周面に接近し、ツメ車３１の第１円板部３３における２枚の送り歯４０、４１の移動軌跡上に移動可能に位置するように構成されている。
【００４２】
また、ツメ車３１と送り車３２とは、図１３（ａ）および図１３（ｂ）に示すように、離脱した厚い歯部４６ａに隣接する回転方向と反対側に位置する薄い歯部４６ｂが、ツメ車３１の第１円板部３３における２枚の送り歯４０、４１の移動軌跡上に位置すると、送り車３２の２枚の厚い歯部４６ａがツメ車３１の第２円板部３４の外周面に接触した状態で、その外周面に沿って相対的に移動することにより、送り車３２の回転を規制して停止させ、ツメ車３１が回転しても、送り車３２が回転しないように構成されている。
【００４３】
一方、表示車４は、図３に示すように、日車であり、平板状のリング形状に形成されている。この表示車４の表面には、１日〜３１日の日付表示が等間隔で表示されている。また、この表示車４は、その内周部に内歯４ａが設けられ、この内歯４ａに送り車３２の各歯部４６ａ、４６ｂが順次噛み合うように構成されている。これにより、表示車４は、送り車３２の間欠的な回転に伴って回転し、日付表示が２４時間ごとに切り替わるように構成されている。
【００４４】
この場合、表示車４は、図９〜図１２に示すように、日付表示が切り替わる際に、高速回転車２６がツメ車３１の第３円板部３５の部分歯４４に噛み合って、ツメ車３１が高速で回転し、このツメ車３１の高速回転により送り車３２が高速で回転することにより、日付表示が速やかに切り替わるように構成されている。
【００４５】
次に、このような指針式の腕時計の作用について説明する。
この腕時計は、第１〜第３の各ステップモータ８、１４、１８がそれぞれ回転し、これらの回転によって秒針１、分針２、時針３をそれぞれ運針させて時刻を指示する。この場合、第３ステップモータ１８の回転は、第１〜第３の各中間車２０〜２２を介して時針車２３に伝達され、この時針車２３が回転して時針３が２４時間で１回転する通常の運針をする。
【００４６】
このときには、時針車２３の回転に伴って第４、第５の各中間車２４、２５が回転し、この第５中間車２５の回転によって表示切替装置２７の伝達車３０が回転し、この伝達車３０の回転によってツメ車３１が２４時間で１回転するゆっくりした速度で回転する。これにより、ツメ車３１の２枚の送り歯４０、４１が送り車３２に接近すると共に、ツメ車３１の部分歯４４が高速回転車２６に接近する。
【００４７】
このときには、ツメ車３１の２枚の送り歯４０、４１が送り車３２に噛み合っていないため、送り車３２は回転せず、表示車４も回転しない。また、このときには、時針車２３を回転させて時針３を運針させる第３中間車２２の回転によって高速回転車２６が２４時間で数回転する早い速度で回転するが、この高速回転車２６がツメ車３１の第３円板部３５の部分歯４４に噛み合っていないため、高速回転車２６が高速で回転しても、ツメ車３１は回転しない。
【００４８】
この状態で、伝達車３０の回転によって更にツメ車３１がゆっくり回転して、ツメ車３１の２枚の送り歯４０、４１が送り車３２に接近して噛み合いを開始すると、ツメ車３１の部分歯４４が高速回転車２６に接近して噛み合いを開始する。すると、高速回転車２６の高速回転によってツメ車３１が高速で回転し、このツメ車３１の２枚の送り歯４０、４１が送り車３２に噛み合って送り車３２を高速で回転させて表示車４を回転させ、この表示車４の日付表示を速やかに切り替える。
【００４９】
このように高速回転車２６の高速回転によってツメ車３１が高速で回転して表示車４の日付表示が切り替わる際には、時針３が通常の運針を行いながら、ツメ車３１の伝達突起３７が伝達車３０の長孔３８内をその一端部３８ａから他端部３８ｂに向けて、伝達車３０の回転速度よりも速い速度で移動する。そして、表示車４の日付表示が切り替わった際には、ツメ車３１の部分歯４４と高速回転車２６との噛み合いが外れて、ツメ車３１の回転が一旦停止する。
【００５０】
このときには、ツメ車３１の伝達突起３７が伝達車３０の長孔３８の他端部３８ｂに接近しているため、ツメ車３１に対する高速回転車２６の回転が断たれると、伝達車３０が第５中間車２５によって回転しても、伝達車３０の長孔３８内をツメ車３１の伝達突起３７が相対的に移動するだけで、ツメ車３１は回転しない。そして、ツメ車３１の伝達突起３７が伝達車３０の長孔３８の一端部３８ａに当接すると、再びツメ車３１が２４時間で１回転する速度でゆっくり回転し、次の日付表示を切り替えるための準備に入る。
【００５１】
以下、図８〜図１３を参照して、この指針式の腕時計における表示切替装置２７の動作を詳細に説明する。
まず、表示車４の日付表示が切り替わる前の状態では、図８（ａ）および図８（ｂ）に示すように、伝達車３０の伝達突起３７がツメ車３１の長孔３８における回転方向に位置する一端部３８ａに当接している。この状態で、第３ステップモータ１８が回転して、時針３が２４時間で１周する通常の速度で運針すると共に、伝達車３０が２４時間で１回転する速度で矢印方向（図８（ａ）では時計回り）に回転し、ツメ車３１を回転させる。
【００５２】
このときには、送り車３２の歯幅の厚い歯部４６ａがツメ車３１の第１、第２の各溝部４２、４３から離脱した状態で、この送り車３２の３枚の厚い歯部４６ａのうち、２枚の厚い歯部４６ａが、図８（ａ）に示すように、ツメ車３１の第２円板部３４の外周面に接触している。また、残りの１枚の厚い歯部４６ａは、表示車４の内歯４ａに噛み合っている。
【００５３】
この状態では、ツメ車３１の第２円板部３４の外周面に接触している送り車３２の２枚の厚い歯部４６ａが、ツメ車３１の第２円板部３４の外周面に沿って相対的に移動する。このため、ツメ車３１が回転しても、送り車３２は回転することがない。これにより、外部から加わった不用意な力により表示車４に回転力が生じても、表示車４が回転して日付表示が勝手に切り替わることがない。
【００５４】
また、このときには、図８（ｂ）に示すように、ツメ車３１の回転方向に位置する送り車３２の１枚の薄い歯部４６ｂが、ツメ車３１の第１円板部３３の外周面に接近した状態で、第２円板部３４の上面、つまり第１円板部３３に設けられた２枚の送り歯４０、４１の移動軌跡上に位置して、この移動軌跡上を相対的に移動する。また、残りの２枚の薄い歯部４６ｂのうち、１枚の薄い歯部４６ｂは、表示車４の内歯４ａに噛み合っている。
【００５５】
この状態で、ツメ車３１が回転して、時針３が２４時に近づくと、図９（ａ）および図９（ｂ）に示すように、ツメ車３１の２枚の送り歯４０、４１のうち、回転方向に位置する一方の送り歯４０が、その回転方向に位置する送り車３２の１枚の薄い歯部４６ｂに当接する。このときには、ツメ車３１の第３円板部３５の部分歯４４が高速回転車２６に接近して噛み合いを開始する。すると、第３ステップモータ１８の回転によって時針３が通常運針しながら、高速回転車２６によってツメ車３１が高速で回転する。
【００５６】
このときには、図１０（ａ）および図１０（ｂ）に示すように、ツメ車３１の２枚の送り歯４０、４１のうち、回転方向に位置する一方の送り歯４０が、その回転方向に位置する送り車３２の１枚の薄い歯部４６ｂに当接していることにより、ツメ車３１の回転方向と反対側に位置する送り車３２の１枚の厚い歯部４６ａが、ツメ車３１の２枚の送り歯４０、４１の間に位置する第１、第２の各溝部４２、４３内に向けて移動する。
【００５７】
また、このときには、図１０（ａ）に示すように、ツメ車３１の第２円板部３４の外周面に接触している送り車３２の２枚の厚い歯部４６ａのうち、ツメ車３１の回転方向と反対側に位置する厚い歯部４６ａが、ツメ車３１の２枚の送り歯４０、４１間に位置する第１、第２の溝部４２、４３内に向けて移動すると共に、その回転方向に位置する送り車３２の厚い歯部４６ａが、ツメ車３１の第２円板部３４の外周面から徐々に離れる。
【００５８】
これにより、送り車３２の回転規制が解除され、送り車３２が回転を開始し、これに伴って表示車４も回転を開始する。また、このときには、図１０（ａ）に示すように、高速回転車２６によってツメ車３１が伝達車３０よりも早い速度で回転するため、ツメ車３１の伝達突起３７が伝達車３０の長孔３８内をその一端部３８ａから他端部３８ｂに向けて移動を開始する。
【００５９】
そして、ツメ車３１が更に高速で回転して、図１１（ａ）および図１１（ｂ）に示すように、ツメ車３１の回転方向に位置する一方の送り歯４０が、これに当接している送り車３２の薄い歯部４６ｂとこれに隣接する回転方向と反対側に位置する厚い歯部４６ａとの間に挿入し、その厚い歯部４６ａがツメ車３１の第１、第２の各溝部４２、４３に噛み合う。
【００６０】
このときには、一方の送り歯４０に当接した送り車３２の薄い歯部４６ｂが、第１円板部３３の外周面から徐々に離れると共に、回転方向と反対側に位置する送り車３２の薄い歯部４６ｂが、ツメ車３１の回転方向と反対側に位置する他方の送り歯４１に徐々に接近する。これにより、送り車３２が更に高速で回転し、これに伴って表示車４も更に高速で回転する。
【００６１】
このときには、時針３が第３ステップモータ１８の回転によって２４時間で１周する通常の速度で運針しながら、ツメ車３１が伝達車３０よりも高速で回転するため、このツメ車３１の伝達突起３７が伝達車３０の長孔３８内を一端部３８ａから他端部３８ｂに向けて更に移動する。
【００６２】
この後、ツメ車３１が更に高速で回転して、図１２（ａ）および図１２（ｂ）に示すように、送り車３２の厚い歯部４６ａがツメ車３１の第１、第２の各溝部４２、４３から離脱する際には、ツメ車３１の回転方向と反対側に位置する他方の送り歯４１が、ツメ車３１の第１、第２の各溝部４２、４３内に位置する送り車３２の厚い歯部４６ａとこれに隣接する回転方向と反対側に位置する薄い歯部４６ｂとの間に徐々に挿入する。
【００６３】
このときには、図１２（ａ）および図１２（ｂ）に示すように、ツメ車３１の回転方向と反対側に位置する他方の送り歯４１に接近した薄い歯部４６ｂが、ツメ車３１の第２円板部３４の上面を移動しながら第１円板部３３の外周面に接近し、この第１円板部３３における２枚の送り歯４０、４１の移動軌跡上に位置する。このときにも、送り車３２が更に回転し、これに伴って表示車４が更に回転する。
【００６４】
この状態で、ツメ車３１が更に高速で回転すると、図１３（ａ）および図１３（ｂ）に示すように、送り車３２が更に回転して表示車４を更に回転させ、表示車４の日付表示を完全に切り替える。このときには、ツメ車３１が伝達車３０よりも高速で回転しているため、このツメ車３１の伝達突起３７が伝達車３０の長孔３８内を移動して他端部３８ｂに接近し、ツメ車３１の部分歯４４が高速回転車２６から離れて、ツメ車３１の部分歯４４と高速回転車２６との噛み合いが外れ、ツメ車３１の高速回転が断たれる。
【００６５】
また、このときには、送り車３２の１枚の厚い歯部４６ａがツメ車３１の第１、第２の各溝部４２、４３から離脱し、この離脱した厚い歯部４６ａとその回転方向と反対側に位置する厚い歯部４６ａとが、ツメ車３１の第２円板部３４の外周面に接触する。このときにも、図１３（ｂ）に示すように、ツメ車３１の第２円板部３４の外周面に接触している送り車３２の２枚の厚い歯部４６ａが、ツメ車３１の第２円板部３４の外周面に沿って相対的に移動する。
【００６６】
この状態では、送り車３２の回転が規制され、ツメ車３１が回転しても、送り車３２は回転することがない。このため、外部から加わった不用意な力により表示車４に回転力が生じても、表示車４が回転して日付表示が勝手に切り替わることがない。また、この状態では、図１３（ａ）に示すように、ツメ車３１の１枚の薄い歯部３６ｂが、ツメ車３１の第１円板部２６の外周面に接近した状態で、第２円板部２７の上面に位置する第１円板部２６の２枚の送り歯３１、３２の移動軌跡上に位置して、この移動軌跡上を相対的に移動する状態になっている。
【００６７】
この後、時針３が第３ステップモータ１８の回転によって通常の速度で運針しながら、伝達車３０が第５中間車２５によって２４時間で１回転する速度でゆっくり回転する。このときには、ツメ車３１の伝達突起３７が伝達車３０の長孔３８内を他端部３８ｂから一端部３８ａに向けて相対的に移動するため、ツメ車３１は回転しない。そして、ツメ車３１の伝達突起３７が伝達車３０の長孔３８の一端部３８ａに当接すると、再びツメ車３１が伝達車３０によって２４時間で１回転する速度でゆっくり回転を開始し、次の日付表示を切り替えるための準備に入る。
【００６８】
このように、この指針式の腕時計によれば、時針３を運針する第３ステップモータ１８の回転によって回転する伝達車３０と、この伝達車３０に同軸で重なった状態で回転可能に設けられたツメ車３１と、このツメ車３１の１回転ごとに所定角度ずつ間欠的に回転される送り車３２と、この送り車３２の回転により回転されて日付表示が切り替わる表示車４と、第３ステップモータ１８の回転によって伝達車３０よりも高速で回転する高速回転車２６と、を備え、ツメ車３１の伝達突起３７が伝達車３０の長孔３８に沿って移動可能な状態で、ツメ車３１の部分歯４４が高速回転車２６に噛み合ってツメ車３１を高速で回転させる構成であることにより、時針３が通常運針している状態で、日付表示を速やかに切り替えることができる。
【００６９】
すなわち、この指針式の腕時計では、第３ステップモータ１８の回転によって時針３が通常運針している状態で、伝達車３０の回転によってツメ車３１を回転させて、このツメ車３１の外周部の一部に設けられた送り歯４０、４１を送り車３２に接近させることができると共に、ツメ車３１の外周部に部分的に設けられた部分歯４４を高速回転車２６に接近させることができる。
【００７０】
この状態で、表示車４の日付表示が切り替わる際には、ツメ車３１の部分歯４４を高速回転車２６に噛み合わせることができるので、この高速回転車２６の高速回転によってツメ車３１の伝達突起３７を伝達車３０の長孔３８内に沿って移動させながら、ツメ車３１を高速で回転させることができる。これにより、送り車３２を高速で回転させて表示車４の日付表示を速やかに切り替えることができる。このため、時針３が通常運針している状態で、日付表示を速やかに切り替えることができる。
【００７１】
この場合、伝達突起３７は、伝達車３０に向けて突出した状態でツメ車３１に形成されたピン状の突起であり、長孔３８は、伝達車３０に円弧状に形成されて伝達突起３７が移動可能に挿入する構成であることにより、表示車４の日付表示が切り替わる前の状態のときに、伝達車３０の回転方向と反対側に位置する長孔３８の一端部３８ａにツメ車３１の伝達突起３７が当接することにより、伝達車３０の回転に応じてツメ車３１を確実に回転させることができる。
【００７２】
また、表示車４の日付表示が切り替わるときには、高速回転車２６がツメ車３１の部分歯４４に噛み合って高速で回転すると、伝達車３０の長孔３８内に沿ってツメ車３１の伝達突起３７を伝達車３０の回転速度より速い速度で移動させることができ、これによりツメ車３１が伝達車３０の回転による影響を受けることがなく、ツメ車３１を高速で回転させることができる。
【００７３】
また、ツメ車３１の部分歯４４は、ツメ車３１に送り車３２が噛み合って回転する間だけ、高速回転車２６が噛み合う構成であるから、表示車４の日付表示が切り替わる前の状態のときに、高速回転車２６がツメ車３１の部分歯４４に噛み合うことがないため、伝達車３０によってツメ車を２４時間で１回転する速度で回転させることができる。この状態で、ツメ車３１に送り車３２が噛み合って回転を開始する際には、高速回転車２６がツメ車３１の部分歯４４に噛み合ってツメ車３１を高速で回転させることができ、これにより表示車４の日付表示を速やかに切り替えることができる。
【００７４】
この場合、ツメ車３１の部分歯４４は、ツメ車３１の伝達突起３７が伝達車３０の長孔３８内に沿って移動している間だけ、高速回転車２６が噛み合う長さで、ツメ車３１の外周面に部分的に形成されていることにより、高速回転車２６がツメ車３１の部分歯４４に噛み合ってツメ車３１を高速で回転させる際に、ツメ車３１の伝達突起３７が伝達車３０の長孔３８内に沿って移動しても、この伝達突起３７が長孔３８の一端部３８ａから他端部３８ｂに接近した際に、ツメ車３１の部分歯４４を高速回転車２６から離脱させて噛み合いを解除することができ、これによりツメ車３１を安全に且つ良好に高速回転させることができる。
【００７５】
また、この指針式の腕時計では、伝達車３０が時針３を運針させる時針車２３の回転によって回転し、高速回転車２６が時針車２３を回転させる第３中間車２２の回転によって伝達車３０よりも高速で回転する構成であることにより、第３ステップモータ１８の回転を伝達車３０と高速回転車２６とに伝達するための歯車の数を最小限に抑えることができ、これにより歯車列の簡素化を図り、組立て作業性を向上させて低コスト化を図ることができる。
【００７６】
なお、上述した実施形態では、ツメ車３１に伝達突起３７を、伝達車３０にツメ車３１の伝達突起３７が移動可能に挿入する円弧状の長孔３８を形成したが、伝達車３０に伝達突起を、ツメ車３１に伝達車３０の伝達突起が移動可能に挿入する円弧状の長孔を形成しても良い。
【００７７】
また、上述した実施形態では、秒針１を運針する第１駆動系５と、分針２を運針する第２駆動系６と、時針３を運針する第３駆動系７とを有する腕時計に適用した場合について述べたが、これに限らず、例えば秒針１および分針２を１つのステップモータで運針させ、時針３を他のステップモータで運針させる２つの駆動系のみで構成しても良く、また１つのステップモータのみで秒針、分針、および時針を運針させる１つの駆動系のみで構成しても良い。
【００７８】
また、上述した実施形態では、表示車４が日付表示を有する日車である場合について述べたが、必ずしも日付表示を有する日車である必要はなく、例えば曜日表示を有する曜日車であっても良い。
【００７９】
さらに、上述した実施形態では、指針式の腕時計に適用した場合について述べたが、必ずしも腕時計である必要はなく、例えばトラベルウオッチ、目覚まし時計、置き時計、掛け時計などの各種の指針式の時計に広く適用することができる。
【００８０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８１】
（付記）
請求項１に記載の発明は、モータと、このモータの回転により運針される指針と、前記モータの回転が伝達されて回転される回転車と、この回転車に同軸で重なった状態で回転可能に設けられ、且つ外周部の一部に送り歯が設けられたツメ車と、このツメ車の前記送り歯に噛み合う複数の歯部を有し、前記ツメ車の１回転ごとに所定角度ずつ回転される送り車と、この送り車の回転により回転されて表示が切り替わる表示車と、前記モータの回転により回転され、前記回転車よりも高速で回転する高速回転車と、を備え、
前記ツメ車には係止部が形成され、前記回転車には、前記係止部が移動可能に係止される係合部が円周方向に沿って形成され、前記係止部が前記係合部の回転移動方向と反対側に位置する一端部に係止されているときに、前記回転車と前記ツメ車とが一体的に回転し、
前記ツメ車には、前記表示車を送るときのみ、前記高速回転車に噛み合う部分歯が形成され、前記ツメ車は、前記高速回転車が前記部分歯に噛み合うと、前記高速回転車の回転に伴って前記ツメ車の前記係止部が前記回転車の前記係合部に沿って前記回転方向に移動することにより、高速で回転され、このツメ車の高速回転が前記送り車を介して前記表示車に伝達されて、前記表示車を高速で回転させることを特徴とする指針時計である。
【００８２】
請求項２に記載の発明は、請求項１に記載の指針時計において、前記係止部は、前記回転車に向けて突出した状態で前記ツメ車に形成されたピン状の突起であり、前記係合部は、前記回転車に形成されて前記ピン状の突起が移動可能に挿入する円弧状の長孔であることを特徴とする指針時計である。
【００８３】
請求項３に記載の発明は、モータと、このモータの回転により運針される指針と、前記モータの回転が伝達されて回転される回転車と、この回転車に同軸で重なった状態で回転可能に設けられ、且つ外周部の一部に送り歯が設けられたツメ車と、このツメ車の前記送り歯に噛み合う複数の歯部を有し、前記ツメ車の１回転ごとに所定角度ずつ回転される送り車と、この送り車の回転により回転されて表示が切り替わる表示車と、前記モータの回転により回転され、前記回転車よりも高速で回転する高速回転車と、を備え、
前記回転車には係止部が形成され、前記ツメ車には、前記係止部が移動可能に係止される係合部が円周方向に沿って形成され、前記係止部が前記係合部の回転移動方向側に位置する一端部に係止されているときに、前記回転車と前記ツメ車とが一体的に回転し、
前記ツメ車には、前記表示車を送るときのみ、前記高速回転車に噛み合う部分歯が形成され、前記ツメ車は、前記高速回転車が前記部分歯に噛み合うと、前記高速回転車の回転に伴って前記回転車の前記係止部が前記回転方向と反対方向に相対的に移動することにより、高速で回転され、このツメ車の高速回転が前記送り車を介して前記表示車に伝達されて、前記表示車を高速で回転させることを特徴とする指針時計である。
【００８４】
請求項４に記載の発明は、請求項３に記載の指針時計において、前記係止部は、前記ツメ車に向けて突出した状態で前記回転車に形成されたピン状の突起であり、前記係合部は、前記ツメ車に形成されて前記ピン状の突起が移動可能に挿入する円弧状の長孔であることを特徴とする指針時計である。
【００８５】
請求項５に記載の発明は、請求項１〜請求項４のいずれかに記載の指針時計において、前記ツメ車の前記部分歯は、前記ツメ車に前記送り車が噛み合って回転する間、前記高速回転車が噛み合うことを特徴とする指針時計。
【００８６】
請求項６に記載の発明は、請求項１〜請求項５のいずれかに記載の指針時計において、前記ツメ車の前記部分歯は、前記ツメ車の前記係止部が前記回転車の前記係合部に沿って移動している間、前記高速回転車が噛み合う長さで、前記ツメ車の外周面に部分的に形成されていることを特徴とする指針時計である。
【００８７】
請求項７に記載の発明は、請求項１〜請求項６のいずれかに記載の指針時計において、前記回転車は前記指針を運針させる指針車の回転によって回転し、前記高速回転車は前記指針車を回転させる中間車の回転によって前記回転車よりも高速で回転することを特徴とする指針時計である。
【符号の説明】
【００８８】
１  秒針
２  分針
３  時針
４  表示車
４ａ  内歯
５  第１駆動系
６  第２駆動系
７  第３駆動系
１８  第３ステップモータ
２０〜２２  第１〜第３の各中間車
２３  時針車
２４、２５  第４、第５の各中間車
２６  高速回転車
２７  表示切替装置
３０  伝達車
３１  ツメ車
３２  送り車
３３〜３５  第１〜第３の各円板部
３７  伝達突起
３８  長孔
３８ａ  長孔の一端部
３８ｂ  長孔の他端部
４０、４１  ツメ車の送り歯
４２、４３  ツメ車の第１、第２の各溝部
４４  ツメ車の部分歯
４６ａ、４６ｂ  送り車の各歯部
【図１】
0005831705.tif 000002
【図２】
0005831705.tif 000003
【図３】
0005831705.tif 000004
【図４】
0005831705.tif 000005
【図５】
0005831705.tif 000006
【図６】
0005831705.tif 000007
【図７】
0005831705.tif 000008
【図８】
0005831705.tif 000009
【図９】
0005831705.tif 000010
【図１０】
0005831705.tif 000011
【図１１】
0005831705.tif 000012
【図１２】
0005831705.tif 000013
【図１３】
0005831705.tif 000014